【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
アルカリ土類金属炭酸塩及びフィロシリケートを含む組成物であって、前記組成物の固形分が、
少なくとも約45wt%のアルカリ土類金属炭酸塩、及び
少なくとも約2wt%のフィロシリケート
を含む、前記組成物。
【請求項２】
前記組成物の固形分が約45wt%〜約98wt%のアルカリ土類金属炭酸塩を含む、請求項1記載の組成物。
【請求項３】
前記組成物の固形分が約2wt%〜約55wt%のフィロシリケートを含む、請求項1又は2記載の組成物。
【請求項４】
前記アルカリ土類金属炭酸塩が炭酸カルシウムである、請求項1〜3のいずれか1項記載の組成物。
【請求項５】
前記フィロシリケートがカオリンである、請求項1〜4のいずれか1項記載の組成物。
【請求項６】
前記フィロシリケートがタルクである、請求項1〜5のいずれか1項記載の組成物。
【請求項７】
前記フィロシリケートがカオリンとタルクの組み合わせである、請求項1〜6のいずれか1項記載の組成物。
【請求項８】
乾燥アルカリ土類金属炭酸塩の総質量に基づいて約0.3%未満の分散剤を含む、請求項1〜7のいずれか1項記載の組成物。
【請求項９】
前記組成物中の粒子の約20wt%までが約10μmより大きい、請求項1〜8のいずれか1項記載の組成物。
【請求項１０】
前記フィロシリケートを含まない、請求項1〜9のいずれか1項に記載の対応組成物に比べて、少なくとも約10%低い摩耗能を示す、請求項1〜9のいずれか1項記載の組成物。
【請求項１１】
約85〜約95の白色度を有する、請求項1〜10のいずれか1項記載の組成物。
【請求項１２】
アルカリ土類金属炭酸塩及びフィロシリケートを含む組成物であって、前記組成物中の粒子の約45wt%〜約85wt%が約2μmより小さく、前記組成物中の粒子の約15wt%〜約30wt%が約0.5μmより小さく、前記組成物中の粒子の約20wt%までが約10μmより大きい、前記組成物。
【請求項１３】
前記アルカリ土類金属炭酸塩が炭酸カルシウムである、請求項12記載の組成物。
【請求項１４】
前記フィロシリケートがカオリンである、請求項12又は13記載の組成物。
【請求項１５】
前記フィロシリケートがタルクである、請求項12〜14のいずれか1項記載の組成物。
【請求項１６】
前記フィロシリケートがカオリンとタルクの組み合わせである、請求項12〜15のいずれか1項記載の組成物。
【請求項１７】
前記フィロシリケートを含まない、請求項12〜16のいずれか1項に記載の対応組成物に比べて、少なくとも約10%低い摩耗能を示す、請求項12〜16のいずれか1項記載の組成物。
【請求項１８】
請求項1〜17のいずれか1項記載の組成物を含む製紙組成物。
【請求項１９】
請求項18記載の製紙組成物から調製された紙製品。
【請求項２０】
填料を含む紙製品であって、前記填料が、請求項1〜17のいずれか1項記載の組成物を含む、前記紙製品。
【請求項２１】
請求項1〜17のいずれか1項記載の組成物の調製方法であって、下記工程：
アルカリ土類金属炭酸塩をフィロシリケートと組み合わせる工程
を含む方法。
【請求項２２】
紙製品の製造方法であって、下記工程：
請求項1〜17のいずれか1項記載の組成物を、紙製品の製造に適した繊維状パルプと組み合わせて、製紙組成物を形成する工程；及び
前記製紙組成物から紙製品を形成する工程
を含む方法。
【請求項２３】
前記繊維状パルプがセルロースを含む、請求項22記載の方法。
【手続補正２】
【補正対象書類名】明細書
【補正対象項目名】００５０
【補正方法】変更
【補正の内容】
【００５０】
驚くべきことに、粉砕炭酸カルシウム(GCC)と、タルク又はカオリンのどちらかとを含む組成物の白色度は、粉砕炭酸カルシウムのみと比べてそれほど変わらなかった。
実施例2
粉砕炭酸カルシウム(GCC)と、異なる量のタルク又はカオリンとを含む組成物を、上述したように調製した。これらの組成物の摩耗能を測定した。結果を図1及び図2に示す。
驚くべきことに、粉砕炭酸カルシウムにタルク又はカオリンを添加すると、組成物の摩耗能が低下することが分かった。
本発明の好ましい態様は、下記の通りである。
〔１〕アルカリ土類金属炭酸塩及びフィロシリケートを含む組成物であって、前記組成物の固形分が、
少なくとも約45wt%のアルカリ土類金属炭酸塩、及び
少なくとも約2wt%のフィロシリケート
を含む、前記組成物。
〔２〕前記組成物の固形分が約45wt%〜約98wt%のアルカリ土類金属炭酸塩を含む、前記〔1〕記載の組成物。
〔３〕前記組成物の固形分が約2wt%〜約55wt%のフィロシリケートを含む、前記〔1〕又は〔2〕記載の組成物。
〔４〕前記組成物の固形分が少なくとも約3wt%のフィロシリケートを含む、前記〔1〕〜〔3〕のいずれか1項記載の組成物。
〔５〕前記組成物の固形分が約3wt%〜約55wt%のフィロシリケートを含む、前記〔1〕〜〔4〕のいずれか1項記載の組成物。
〔６〕前記組成物の固形分が約45wt%〜約97wt%のアルカリ土類金属炭酸塩を含む、前記〔1〕〜〔5〕のいずれか1項記載の組成物。
〔７〕前記組成物の固形分が少なくとも約45wt%のアルカリ土類金属炭酸塩及び少なくとも約5wt%のフィロシリケートを含む、前記〔1〕〜〔6〕のいずれか1項記載の組成物。
〔８〕前記組成物の固形分が約45wt%〜約95wt%のアルカリ土類金属炭酸塩を含む、前記〔1〕〜〔7〕のいずれか1項記載の組成物。
〔９〕前記組成物の固形分が約5wt%〜約55wt%のフィロシリケートを含む、前記〔1〕〜〔8〕のいずれか1項記載の組成物。
〔１０〕前記組成物の固形分が少なくとも約50wt%のアルカリ土類金属炭酸塩を含む、前記〔1〕〜〔9〕のいずれか1項記載の組成物。
〔１１〕前記組成物の固形分が約50wt%〜約90wt%のアルカリ土類金属炭酸塩を含む、前記〔1〕〜〔10〕のいずれか1項記載の組成物。
〔１２〕前記組成物の固形分が少なくとも約10wt%のフィロシリケートを含む、前記〔1〕〜〔11〕のいずれか1項記載の組成物。
〔１３〕前記組成物の固形分が約10wt%〜約50wt%のフィロシリケートを含む、前記〔1〕〜〔12〕のいずれか1項記載の組成物。
〔１４〕前記組成物の固形分が約70wt%〜約90wt%のアルカリ土類金属炭酸塩を含む、前記〔1〕〜〔13〕のいずれか1項記載の組成物。
〔１５〕前記組成物の固形分が約10wt%〜約30wt%のフィロシリケートを含む、前記〔1〕〜〔14〕のいずれか1項記載の組成物。
〔１６〕前記アルカリ土類金属炭酸塩が炭酸カルシウムである、前記〔1〕〜〔15〕のいずれか1項記載の組成物。
〔１７〕前記アルカリ土類金属炭酸塩が粉砕炭酸カルシウム(GCC)である、前記〔1〕〜〔16〕のいずれか1項記載の組成物。
〔１８〕前記アルカリ土類金属炭酸塩が大理石である、前記〔1〕〜〔17〕のいずれか1項記載の組成物。
〔１９〕前記フィロシリケートがカオリンである、前記〔1〕〜〔18〕のいずれか1項記載の組成物。
〔２０〕前記フィロシリケートがタルクである、前記〔1〕〜〔19〕のいずれか1項記載の組成物。
〔２１〕前記フィロシリケートがカオリンとタルクの組み合わせである、前記〔1〕〜〔20〕のいずれか1項記載の組成物。
〔２２〕前記組成物の固形分が約10wt%〜約30wt%のカオリンを含む、前記〔1〕〜〔21〕のいずれか1項記載の組成物。
〔２３〕前記組成物の固形分が約2wt%から約21wt%未満のタルクを含む、前記〔1〕〜〔22〕のいずれか1項記載の組成物。
〔２４〕前記組成物の固形分が約3wt%〜約15wt%のタルクを含む、前記〔1〕〜〔23〕のいずれか1項記載の組成物。
〔２５〕アルカリ土類金属炭酸塩粒子の約35wt%〜約90wt%が約2μmより小さい、前記〔1〕〜〔24〕のいずれか1項記載の組成物。
〔２６〕フィロシリケート粒子の約5wt%〜約90wt%が約2μmより小さい、前記〔1〕〜〔25〕のいずれか1項記載の組成物。
〔２７〕アルカリ土類金属炭酸塩粒子の約80wt%〜約100wt%が約5μmより小さい、前記〔1〕〜〔26〕のいずれか1項記載の組成物。
〔２８〕フィロシリケート粒子の約20wt%〜約100wt%が約5μmより小さい、前記〔1〕〜〔27〕のいずれか1項記載の組成物。
〔２９〕アルカリ土類金属炭酸塩粒子の約4wt%〜約35wt%が約0.5μmより小さい、前記〔1〕〜〔28〕のいずれか1項記載の組成物。
〔３０〕フィロシリケート粒子の約0wt%〜約55wt%が約0.5μmより小さい、前記〔1〕〜〔29〕のいずれか1項記載の組成物。
〔３１〕前記フィロシリケートがカオリンを含み、カオリン粒子の約30wt%〜約90wt%が約2μmより小さい、前記〔1〕〜〔30〕のいずれか1項記載の組成物。
〔３２〕前記フィロシリケートがタルクを含み、タルク粒子の約5wt%〜約40wt%が約2μmより小さい、前記〔1〕〜〔31〕のいずれか1項記載の組成物。
〔３３〕前記組成物が、乾燥アルカリ土類金属炭酸塩の総質量に基づいて約0.3%未満の分散剤を含む、前記〔1〕〜〔32〕のいずれか1項記載の組成物。
〔３４〕前記組成物中の粒子の約45wt%〜約85wt%が約2μmより小さい、前記〔1〕〜〔33〕のいずれか1項記載の組成物。
〔３５〕前記組成物中の粒子の約15wt%〜約30wt%が約0.5μmより小さい、前記〔1〕〜〔34〕のいずれか1項記載の組成物。
〔３６〕前記組成物中の粒子の約20wt%までが約10μmより大きい、前記〔1〕〜〔35〕のいずれか1項記載の組成物。
〔３７〕前記組成物が、前記フィロシリケートを含まない、前記〔1〕〜〔36〕のいずれか1項に記載の対応組成物に比べて、少なくとも約10%低い摩耗能を示す、前記〔1〕〜〔36〕のいずれか1項記載の組成物。
〔３８〕前記組成物が、前記フィロシリケートを含まない、前記〔1〕〜〔37〕のいずれか1項に記載の対応組成物に比べて、少なくとも約20%低い摩耗能を示す、前記〔1〕〜〔37〕のいずれか1項記載の組成物。
〔３９〕前記組成物が約85〜約95の白色度を有する、前記〔1〕〜〔38〕のいずれか1項記載の組成物。
〔４０〕前記組成物が約88〜約95の白色度を有する、前記〔1〕〜〔39〕のいずれか1項記載の組成物。
〔４１〕前記組成物が水性懸濁液である、前記〔1〕〜〔40〕のいずれか1項記載の組成物。
〔４２〕前記組成物が乾燥鉱物ブレンドである、前記〔1〕〜〔41〕のいずれか1項記載の組成物。
〔４３〕アルカリ土類金属炭酸塩及びフィロシリケートを含む組成物であって、前記組成物中の粒子の約45wt%〜約85wt%が約2μmより小さく、前記組成物中の粒子の約15wt%〜約30wt%が約0.5μmより小さく、前記組成物中の粒子の約20wt%までが約10μmより大きい、前記組成物。
〔４４〕前記アルカリ土類金属炭酸塩が炭酸カルシウムである、前記〔43〕記載の組成物。
〔４５〕前記アルカリ土類金属炭酸塩が粉砕炭酸カルシウム(GCC)である、前記〔43〕又は〔44〕記載の組成物。
〔４６〕前記アルカリ土類金属炭酸塩が大理石である、前記〔43〕〜〔45〕のいずれか1項記載の組成物。
〔４７〕前記フィロシリケートがカオリンである、前記〔43〕〜〔46〕のいずれか1項記載の組成物。
〔４８〕前記フィロシリケートがタルクである、前記〔43〕〜〔47〕のいずれか1項記載の組成物。
〔４９〕前記フィロシリケートがカオリンとタルクの組み合わせである、前記〔43〕〜〔48〕のいずれか1項記載の組成物。
〔５０〕前記組成物の固形分が少なくとも約45wt%のアルカリ土類金属炭酸塩を含む、前記〔43〕〜〔49〕のいずれか1項記載の組成物。
〔５１〕前記組成物の固形分が少なくとも約2wt%のフィロシリケートを含む、前記〔43〕〜〔50〕のいずれか1項記載の組成物。
〔５２〕前記組成物の固形分が約45wt%〜約98wt%のアルカリ土類金属炭酸塩を含む、前記〔43〕〜〔51〕のいずれか1項記載の組成物。
〔５３〕前記組成物の固形分が約2wt%〜約55wt%のフィロシリケートを含む、前記〔43〕〜〔52〕のいずれか1項記載の組成物。
〔５４〕前記組成物の固形分が少なくとも約3wt%のフィロシリケートを含む、前記〔43〕〜〔53〕のいずれか1項記載の組成物。
〔５５〕前記組成物の固形分が約45wt%〜約97wt%のアルカリ土類金属炭酸塩を含む、前記〔43〕〜〔54〕のいずれか1項記載の組成物。
〔５６〕前記組成物の固形分が約3wt%〜約55wt%のフィロシリケートを含む、前記〔43〕〜〔55〕のいずれか1項記載の組成物。
〔５７〕前記組成物の固形分が少なくとも約5wt%のフィロシリケートを含む、前記〔43〕〜〔56〕のいずれか1項記載の組成物。
〔５８〕前記組成物の固形分が約45wt%〜約95wt%のアルカリ土類金属炭酸塩を含む、前記〔43〕〜〔57〕のいずれか1項記載の組成物。
〔５９〕前記組成物の固形分が約5wt%〜約55wt%のフィロシリケートを含む、前記〔43〕〜〔58〕のいずれか1項記載の組成物。
〔６０〕前記組成物の固形分が少なくとも約50wt%のアルカリ土類金属炭酸塩を含む、前記〔43〕〜〔59〕のいずれか1項記載の組成物。
〔６１〕前記組成物の固形分が約50wt%〜約90wt%のアルカリ土類金属炭酸塩を含む、前記〔43〕〜〔60〕のいずれか1項記載の組成物。
〔６２〕前記組成物の固形分が少なくとも約10wt%のフィロシリケートを含む、前記〔43〕〜〔61〕のいずれか1項記載の組成物。
〔６３〕前記組成物の固形分が約10wt%〜約50wt%のフィロシリケートを含む、前記〔43〕〜〔62〕のいずれか1項記載の組成物。
〔６４〕前記組成物の固形分が約70wt%〜約90wt%のアルカリ土類金属炭酸塩を含む、前記〔43〕〜〔63〕のいずれか1項記載の組成物。
〔６５〕前記組成物の固形分が約10wt%〜約30wt%のフィロシリケートを含む、前記〔43〕〜〔64〕のいずれか1項記載の組成物。
〔６６〕前記組成物の固形分が約10wt%〜約30wt%のカオリンを含む、前記〔43〕〜〔65〕のいずれか1項記載の組成物。
〔６７〕前記組成物の固形分が約2wt%から約21wt%未満のタルクを含む、前記〔43〕〜〔66〕のいずれか1項記載の組成物。
〔６８〕前記組成物の固形分が約3wt%〜約15wt%のタルクを含む、前記〔43〕〜〔67〕のいずれか1項記載の組成物。
〔６９〕アルカリ土類金属粒子の約35wt%〜約90wt%が約2μmより小さい、前記〔43〕〜〔68〕のいずれか1項記載の組成物。
〔７０〕フィロシリケート粒子の約5wt%〜約90wt%が約2μmより小さい、前記〔43〕〜〔69〕のいずれか1項記載の組成物。
〔７１〕アルカリ土類金属炭酸塩粒子の約80〜約100が約5μmより小さい、前記〔43〕〜〔70〕のいずれか1項記載の組成物。
〔７２〕フィロシリケート粒子の約20〜約100が約5μmより小さい、前記〔43〕〜〔71〕のいずれか1項記載の組成物。
〔７３〕アルカリ土類金属炭酸塩粒子の約4〜約35が約0.5μmより小さい、前記〔43〕〜〔72〕のいずれか1項記載の組成物。
〔７４〕フィロシリケート粒子の約0〜約55が約0.5μmより小さい、前記〔43〕〜〔73〕のいずれか1項記載の組成物。
〔７５〕前記フィロシリケートがカオリンであり、カオリン粒子の約30wt%〜約90wt%が約2μmより小さい、前記〔43〕〜〔74〕のいずれか1項記載の組成物。
〔７６〕フィロシリケートがタルクであり、タルク粒子の約5wt%〜約40wt%が約2μmより小さい、前記〔43〕〜〔75〕のいずれか1項記載の組成物。
〔７７〕前記組成物が、前記フィロシリケートを含まない、前記〔43〕〜〔76〕のいずれか1項に記載の対応組成物に比べて、少なくとも約10%低い摩耗能を示す、前記〔43〕〜〔76〕のいずれか1項記載の組成物。
〔７８〕前記組成物が、前記フィロシリケートを含まない、前記〔43〕〜〔77〕のいずれか1項に記載の対応組成物に比べて、少なくとも約20%低い摩耗能を示す、前記〔43〕〜〔77〕のいずれか1項記載の組成物。
〔７９〕前記組成物が約85〜約95の白色度を有する、前記〔43〕〜〔78〕のいずれか1項記載の組成物。
〔８０〕前記組成物が約88〜約95の白色度を有する、前記〔43〕〜〔79〕のいずれか1項記載の組成物。
〔８１〕前記組成物が水性懸濁液である、前記〔43〕〜〔80〕のいずれか1項記載の組成物。
〔８２〕前記組成物が乾燥鉱物ブレンドである、前記〔43〕〜〔81〕のいずれか1項記載の組成物。
〔８３〕アルカリ土類金属炭酸塩及びフィロシリケートを含む組成物であって、アルカリ土類金属炭酸塩粒子の約35wt%〜約90wt%が約2μmより小さく、フィロシリケート粒子の約5wt%〜約90wt%が約2μmより小さい、前記組成物。
〔８４〕前記アルカリ土類金属炭酸塩が炭酸カルシウムである、前記〔83〕記載の組成物。
〔８５〕前記アルカリ土類金属炭酸塩が粉砕炭酸カルシウム(GCC)である、前記〔83〕又は〔84〕記載の組成物。
〔８６〕前記アルカリ土類金属炭酸塩が大理石である、前記〔83〕〜〔85〕のいずれか1項記載の組成物。
〔８７〕前記フィロシリケートがカオリンである、前記〔83〕〜〔86〕のいずれか1項記載の組成物。
〔８８〕前記フィロシリケートがタルクである、前記〔83〕〜〔87〕のいずれか1項記載の組成物。
〔８９〕前記フィロシリケートがカオリンとタルクの組み合わせである、前記〔83〕〜〔88〕のいずれか1項記載の組成物。
〔９０〕前記組成物の固形分が少なくとも約45wt%のアルカリ土類金属炭酸塩を含む、前記〔83〕〜〔89〕のいずれか1項記載の組成物。
〔９１〕前記組成物の固形分が約45wt%〜約98wt%のアルカリ土類金属炭酸塩を含む、前記〔83〕〜〔90〕のいずれか1項記載の組成物。
〔９２〕前記組成物の固形分が少なくとも約2wt%のフィロシリケートを含む、前記〔83〕〜〔91〕のいずれか1項記載の組成物。
〔９３〕前記組成物の固形分が約2wt%〜約55wt%のフィロシリケートを含む、前記〔83〕〜〔92〕のいずれか1項記載の組成物。
〔９４〕前記組成物の固形分が少なくとも約3wt%のフィロシリケートを含む、前記〔83〕〜〔93〕のいずれか1項記載の組成物。
〔９５〕前記組成物の固形分が約45wt%〜約97wt%のアルカリ土類金属炭酸塩を含む、前記〔83〕〜〔94〕のいずれか1項記載の組成物。
〔９６〕前記組成物の固形分が約3wt%〜約55wt%のフィロシリケートを含む、前記〔83〕〜〔95〕のいずれか1項記載の組成物。
〔９７〕前記組成物の固形分が少なくとも約5wt%のフィロシリケートを含む、前記〔83〕〜〔96〕のいずれか1項記載の組成物。
〔９８〕前記組成物の固形分が約45wt%〜約95wt%のアルカリ土類金属炭酸塩を含む、前記〔83〕〜〔97〕のいずれか1項記載の組成物。
〔９９〕前記組成物の固形分が約5wt%〜約55wt%のフィロシリケートを含む、前記〔83〕〜〔98〕のいずれか1項記載の組成物。
〔１００〕前記組成物の固形分が少なくとも約50wt%のアルカリ土類金属炭酸塩を含む、前記〔83〕〜〔99〕のいずれか1項記載の組成物。
〔１０１〕前記組成物の固形分が約50wt%〜約90wt%のアルカリ土類金属炭酸塩を含む、前記〔83〕〜〔100〕のいずれか1項記載の組成物。
〔１０２〕前記組成物の固形分が少なくとも約10wt%のフィロシリケートを含む、前記〔83〕〜〔101〕のいずれか1項記載の組成物。
〔１０３〕前記組成物の固形分が約10wt%〜約50wt%のフィロシリケートを含む、前記〔83〕〜〔102〕のいずれか1項記載の組成物。
〔１０４〕前記組成物の固形分が約70wt%〜約90wt%のアルカリ土類金属炭酸塩を含む、前記〔83〕〜〔103〕のいずれか1項記載の組成物。
〔１０５〕前記組成物の固形分が約10wt%〜約30wt%のフィロシリケートを含む、前記〔83〕〜〔104〕のいずれか1項記載の組成物。
〔１０６〕前記組成物が約10wt%〜約30wt%のカオリンを含む、前記〔83〕〜〔105〕のいずれか1項記載の組成物。
〔１０７〕前記組成物が約2wt%から約21wt%未満のタルクを含む、前記〔83〕〜〔106〕のいずれか1項記載の組成物。
〔１０８〕前記組成物が約3wt%〜約15wt%のタルクを含む、前記〔83〕〜〔107〕のいずれか1項記載の組成物。
〔１０９〕前記アルカリ土類金属炭酸塩粒子の約80wt%〜約100wt%が約5μmより小さい、前記〔83〕〜〔108〕のいずれか1項記載の組成物。
〔１１０〕前記フィロシリケート粒子の約20wt%〜約100wt%が約5μmより小さい、前記〔83〕〜〔109〕のいずれか1項記載の組成物。
〔１１１〕前記アルカリ土類金属炭酸塩粒子の約4wt%〜約35wt%が約0.5μmより小さい、前記〔83〕〜〔110〕のいずれか1項記載の組成物。
〔１１２〕前記フィロシリケート粒子の約0wt%〜約55wt%が約0.5μmより小さい、前記〔83〕〜〔111〕のいずれか1項記載の組成物。
〔１１３〕前記フィロシリケートがカオリンであり、カオリン粒子の約30wt%〜約90wt%が約2μmより小さい、前記〔83〕〜〔112〕のいずれか1項記載の組成物。
〔１１４〕前記フィロシリケートがタルクであり、タルク粒子の約5wt%〜約40wt%が約2μmより小さい、前記〔83〕〜〔113〕のいずれか1項記載の組成物。
〔１１５〕前記組成物が、乾燥アルカリ土類金属炭酸塩の総質量に基づいて約0.3%未満の分散剤を含む、前記〔83〕〜〔114〕のいずれか1項記載の組成物。
〔１１６〕前記組成物中の粒子の約45wt%〜約85wt%が約2μmより小さい、前記〔83〕〜〔115〕のいずれか1項記載の組成物。
〔１１７〕前記組成物中の粒子の約15wt%〜約30wt%が約0.5μmより小さい、前記〔83〕〜〔116〕のいずれか1項記載の組成物。
〔１１８〕前記組成物中の粒子の約20wt%までが約10μmより大きい、前記〔83〕〜〔117〕のいずれか1項記載の組成物。
〔１１９〕前記組成物が、前記フィロシリケートを含まない、前記〔83〕〜〔118〕のいずれか1項に記載の対応組成物に比べて、少なくとも約10%低い摩耗能を示す、前記〔83〕〜〔118〕のいずれか1項記載の組成物。
〔１２０〕前記組成物が、前記フィロシリケートを含まない、前記〔83〕〜〔119〕のいずれか1項に記載の対応組成物に比べて、少なくとも約20%低い摩耗能を示す、前記〔83〕〜〔119〕のいずれか1項記載の組成物。
〔１２１〕前記組成物が約85〜約95の白色度を有する、前記〔83〕〜〔120〕のいずれか1項記載の組成物。
〔１２２〕前記組成物が約88〜約95の白色度を有する、前記〔83〕〜〔121〕のいずれか1項記載の組成物。
〔１２３〕前記組成物が水性懸濁液である、前記〔83〕〜〔122〕のいずれか1項記載の組成物。
〔１２４〕前記組成物が乾燥鉱物ブレンドである、前記〔83〕〜〔123〕のいずれか1項記載の組成物。
〔１２５〕前記〔1〕〜〔124〕のいずれか1項記載の組成物の、紙製品の填料としての使用。
〔１２６〕前記〔1〕〜〔124〕のいずれか1項記載の組成物を含む製紙組成物。
〔１２７〕前記製紙組成物が繊維状パルプを含み、かつ1種以上の歩留り向上剤、1種以上のサイズ剤、1種以上の染料、1種以上の蛍光増白剤及び1種以上の紙力増強剤から選択される1種以上の添加剤をさらに含んでもよい、前記〔126〕に記載の製紙組成物。
〔１２８〕前記〔126〕又は〔127〕記載の製紙組成物から調製された紙製品。
〔１２９〕填料を含む紙製品であって、前記填料が、前記〔1〕〜〔124〕のいずれか1項記載の組成物を含む、前記紙製品。
〔１３０〕前記〔1〕〜〔124〕のいずれか1項記載の組成物の調製方法であって、下記工程：
アルカリ土類金属炭酸塩をフィロシリケートと組み合わせる工程
を含む方法。
〔１３１〕紙製品の製造方法であって、下記工程：
前記〔1〕〜〔124〕のいずれか1項記載の組成物を、紙製品の製造に適した繊維状パルプと組み合わせて、製紙組成物を形成する工程；及び
前記製紙組成物から紙製品を形成する工程
を含む方法。
〔１３２〕前記繊維状パルプがセルロースを含む、前記〔131〕記載の方法。